(57)【特許請求の範囲】
【請求項１】
受信アンテナから、伝送線、及び、ブースターを含む伝送機器、を介して伝送されてくる受信信号の中から、当該受信信号に含まれるテレビ放送信号を順次選局する選局手段と、
前記選局手段にて選局されたテレビ放送信号の信号レベルを順次測定する信号レベル測定手段と、
前記選局手段にて選局されたテレビ放送信号の信号品質を順次測定する信号品質測定手段と、
前記信号レベル測定手段により測定された各テレビ放送信号の信号レベル、及び、前記信号品質測定手段にて測定された各テレビ放送信号の信号品質が、正常か否かを判定する判定手段と、
前記判定手段にて、前記テレビ放送信号の少なくとも一つに前記信号レベル若しくは前記信号品質の異常があると判定されると、該判定結果に基づき、異常原因を解析する異常原因解析手段と、
前記判定手段による判定結果及び前記異常原因解析手段による解析結果を報知する報知手段と、
を備え、
前記信号品質測定手段は、前記テレビ放送信号の信号品質として、ＭＥＲ（Modulation Error Ratio ）及びＢＥＲ（Bit Error Rate ）を測定するように構成されており、
前記異常原因解析手段は、前記判定手段にて、前記ＭＥＲが正常と判定され、前記ＢＥＲが異常と判定されたテレビ放送信号が存在する場合には、前記異常原因は、前記ブースターの発振であると判断して、前記報知手段から報知させるように構成されている、信号レベル測定装置。
【発明の詳細な説明】
【技術分野】
【０００１】
本発明は、テレビ放送信号の信号レベルを測定する信号レベル測定装置に関する。
【背景技術】
【０００２】
この種の信号レベル測定装置の一つとして、地上局からのテレビ放送信号を受信する受信アンテナからの受信信号の中から、その受信信号に含まれるテレビ放送信号を順次選局して信号レベルを測定し、その測定した各テレビ放送信号の信号レベルを一覧表示するよう構成されたものが知られている（例えば、特許文献１参照）。
【先行技術文献】
【特許文献】
【０００３】
【特許文献１】特開２００７−１０４０１３号公報
【発明の概要】
【発明が解決しようとする課題】
【０００４】
上記信号レベル測定装置によれば、測定地点で受信可能なテレビ放送信号の信号レベルを一覧表示できるので、信号レベルの測定の度に、測定対象となるテレビ放送信号の放送チャンネルを指定する必要のある信号レベル測定装置に比べ、使い勝手を良くすることができる。
【０００５】
しかしながら、上記従来の信号レベル測定装置は、測定した信号レベルを一覧表示できるものの、その測定結果が正常か否かを判断して表示するとか、測定結果が異常であるときにその原因若しくは解決方法を表示する、ということはできない。
【０００６】
このため、上記従来の信号レベル測定装置は、信号レベルの一覧表示を見て、正常・異常を判断したり、異常原因を特定したりすることのできる技術者にとっては、使い勝手がよいものの、このようなことができない者にとっては、使い勝手がよいとはいえなかった。
【０００７】
本発明は、こうした問題に鑑みなされたものであり、テレビ放送信号の信号レベル測定装置において、測定対象となる複数のテレビ放送信号を一括測定することができるだけでなく、その測定結果から正常／異常を判定して報知できるようにすることを目的とする。
【課題を解決するための手段】
【０００８】
かかる目的を達成するために成された請求項１に記載の信号レベル測定装置は、
受信アンテナから伝送線を介して入力される受信信号の中から、当該受信信号に含まれるテレビ放送信号を順次選局する選局手段と、
前記選局手段にて選局されたテレビ放送信号の信号レベルを順次測定する信号レベル測定手段と、
前記信号レベル測定手段により測定された各テレビ放送信号の信号レベルが正常か否かを判定する判定手段と、
前記判定手段による判定結果を報知する報知手段と、
を備えたことを特徴とする。
【０００９】
また、請求項２に記載の信号レベル測定装置は、請求項１に記載のものにおいて、
前記選局手段にて選局されたテレビ放送信号の信号品質を順次測定する信号品質測定手段を備え、
前記判定手段は、前記信号レベル測定手段により測定された各テレビ放送信号の信号レベルに加え、前記信号品質測定手段にて測定された各テレビ放送信号の信号品質についても、正常か否かを判定することを特徴とする。
【００１０】
また、請求項３に記載の信号レベル測定装置は、請求項１又は請求項２に記載のものにおいて、
前記判定手段にて、前記テレビ放送信号の少なくとも一つに異常があると判定されると、前記テレビ放送信号の判定結果に基づき、異常原因を解析する異常原因解析手段を備え、
前記報知手段は、前記判定手段による判定結果に加え、前記異常原因解析手段による解析結果についても報知することを特徴とする。
【発明の効果】
【００１１】
請求項１に記載の信号レベル測定装置においては、選局手段が、受信アンテナから伝送線を介して伝送されてきた受信信号の中から、当該受信信号に含まれるテレビ放送信号を順次選局し、信号レベル測定手段が、その選局されたテレビ放送信号の信号レベルを順次測定する。
【００１２】
そして、判断手段が、信号レベル測定手段により測定された各テレビ放送信号の信号レベルが正常か否かを判定し、報知手段が、その判定手段による判定結果を報知する。
このため、使用者は、信号レベル測定装置を用いて、測定地点にて測定可能なテレビ放送信号の信号レベルを一括測定させることができるだけでなく、報知手段からの報知によって、その測定結果に異常があるか否か（換言すれば受信アンテナや伝送線等を含む受信系に異常があるか否か）を簡単且つ速やかに検知できるようになる。
【００１３】
従って、本発明の信号レベル測定装置によれば、上述した従来のものに比べ、使い勝手を向上できる。
次に、請求項２に記載の信号レベル測定装置には、選局手段にて選局されたテレビ放送信号の信号品質を順次測定する信号品質測定手段が備えられている。
【００１４】
そして、判定手段は、信号レベル測定手段により測定された各テレビ放送信号の信号レベルに加え、信号品質測定手段にて測定された各テレビ放送信号の信号品質についても、正常か否かを判定する。
【００１５】
このため、使用者は、報知手段からの報知によって、信号レベルと信号品質の両方に異常があるのか、或いは、その内の一方（例えば信号品質）に異常があるのかを、簡単且つ速やかに検知できるようになり、その異常原因を特定し易くなる。
【００１６】
従って、請求項２に記載の信号レベル測定装置によれば、請求項１に記載のものよりも、更に使い勝手を向上できる。
次に、請求項３に記載の信号レベル測定装置には、判定手段にてテレビ放送信号の少なくとも一つに異常があると判定されると、その判定結果に基づき、異常原因を解析する異常原因解析手段が備えられている。
【００１７】
そして、報知手段は、判定手段による判定結果に加え、異常原因解析手段による解析結果についても報知する。
このため、使用者は、測定地点にて受信可能なテレビ放送信号の信号レベルに異常がある場合、或いは、この信号レベルと信号品質の少なくとも一方に異常がある場合に、報知手段からの報知によって、その異常原因や解決方法を把握できるようになる。
【００１８】
従って、請求項３に記載の信号レベル測定装置によれば、請求項１、２に記載のものよりも、更に使い勝手を向上できる。
【図面の簡単な説明】
【００１９】
【図１】実施形態の信号レベル測定装置全体の構成を表すブロック図である。
【図２】図１に示すレベル検出回路の構成を表すブロック図である。
【図３】制御部にて実行される全放送一括処理を表すフローチャートである。
【図４】図３に示す地上波測定処理を表すフローチャートである。
【図５】図３に示すＢＳ／ＣＳ測定処理を表すフローチャートである。
【図６】図３に示す地上波解析処理の一部を表すフローチャートである。
【図７】図３に示す地上波解析処理の残り処理を表すフローチャートである。
【図８】図３に示すＢＳ／ＣＳ解析処理の一部を表すフローチャートである。
【図９】図３に示すＢＳ／ＣＳ解析処理の残りの処理を表すフローチャートである。
【発明を実施するための形態】
【００２０】
以下に本発明の実施形態を図面と共に説明する。
本実施形態の信号レベル測定装置は、地上デジタル放送やＢＳ／ＣＳ放送の放送電波を受信する受信アンテナから、伝送線や伝送機器を介して伝送されてくる受信信号を取り込み、その受信信号に含まれるテレビ放送信号の信号レベルや信号品質を測定するためのものである。
【００２１】
このため、信号レベル測定装置には、図１に示すように、測定対象となる受信信号を取り込むための入力端子２、及び、入力端子２から入力された受信信号の中から、その受信信号に含まれテレビ放送信号（詳しくは地上デジタル放送信号及びＢＳ／ＣＳ放送信号）を放送チャンネル毎に選局し、その信号レベルを検出するレベル検出回路１０が備えられている。
【００２２】
また、信号レベル測定装置には、受信信号に含まれるテレビ放送信号の信号品質を測定するために、受信信号の中から地上デジタル放送及びＢＳ／ＣＳ放送のテレビ放送信号をそれぞれ選局するＵＨＦチューナ３０及びＢＳ／ＣＳチューナ３２と、これら各チューナ３０、３２で選局された各放送種別・放送チャンネルのテレビ放送信号を復調してＭＥＲ（Modulation Error Ratio ）、ＢＥＲ（Bit Error Rate ）等の信号品質を測定する復調部３４とを備える。
【００２３】
そして、入力端子２から入力された受信信号は、切替スイッチ４を介して、レベル検出回路１０側若しくは各チューナ３０、３２側に選択的に入力される。
なお、切替スイッチ４に代えて、分配器を設けてもよい。この場合、入力端子２から入力された受信信号は、分配器を介してレベル検出回路１０及び各チューナ３０、３２側にそれぞれ入力されるので、後述の測定時に受信信号の入力経路を切り替える必要がなく、測定時間を短縮できる。
【００２４】
また、各チューナ３０、３２側に入力された受信信号は、分波回路６にて、ＵＨＦ帯の地上デジタル放送の受信信号と、これよりも周波数の高いＢＳ／ＣＳ放送の受信信号とに分波され、その分波された受信信号は、ＵＨＦチューナ３０及びＢＳ／ＣＳチューナ３２にそれぞれ入力される。
【００２５】
なお、復調部３４は、ＵＨＦチューナ３０にて選局された地上デジタル放送については、信号品質として、ＭＥＲ、ＢＥＲ、及び、遅延プロファイルを測定可能であり、ＢＳ／ＣＳチューナ３０にて選局されたＢＳ／ＣＳ放送については、ＢＥＲ及びＣ／Ｎ（搬送波対雑音比）を測定可能である。
【００２６】
ここで、遅延プロファイルは、地上デジタル放送の放送電波が反射等で遅れることにより生じる遅延波の遅延時間を表すパラメータである。
また、信号レベル測定装置には、測定結果を表示するための表示部３６、測定指令を入力するための入力部３８、及び、制御部４０が備えられている。
【００２７】
制御部４０は、ＣＰＵ、ＲＯＭ、ＲＡＭ等を中心とするマイクロコンピュータにて構成されており、切替スイッチ４、レベル検出回路１０、ＵＨＦチューナ３０、ＢＳ／ＣＳチューナ３２、及び、復調部３４を制御することで、入力部３８から指令された放送種別・放送チャンネルのテレビ放送信号の信号レベルや信号品質を測定し、測定結果を表示部３６に表示する。
【００２８】
次に、レベル検出回路１０には、図２に示すように、制御部４０から指令されたＵＨＦ帯のテレビ放送信号を選局するＵＨＦチューナ２２と、ＵＨＦチューナ２２にて選局されたテレビ放送信号を包絡線検波することで、その信号レベル（電圧）を検出し、その検出結果を制御部４０に出力する検波回路２４とが備えられている。
【００２９】
また、レベル検出回路１０には、切替スイッチ４を介して入力された受信信号を、地上デジタル放送の受信信号（周波数：４７０〜７１０ＭＨｚ）とＢＳ／ＣＳ放送の受信信号（ＢＳ／ＣＳ−ＩＦ）とに分波する分波回路１２と、分波回路１２にて分波されたＢＳ／ＣＳ放送の受信信号の中から、制御部４０から指令された特定チャンネルの放送信号を選局して、ＵＨＦ帯（例えば中心周波数４５０ＭＨｚ）のテレビ放送信号に変換するための混合器１４、電圧制御発振器（ＶＣＯ）１６、及びバンドパスフィルタ（ＢＰＦ）１８と、が備えられている。
【００３０】
なお、ＶＣＯ１６は、制御部４０からの選局指令に応じて、特定チャンネルのＢＳ又はＣＳ放送の放送信号をＵＨＦ帯の特定周波数（例えば中心周波数４５０ＭＨｚ）に周波数変換するのに必要な周波数を有する高周波信号を発生する発振器である。
【００３１】
また、混合器１４は、その高周波信号と受信信号（ＢＳ／ＣＳ−ＩＦ）とを混合することで、特定チャンネルのＢＳ又はＣＳ放送の放送信号をＵＨＦ帯の特定周波数に周波数変換するものであり、ＢＰＦ１８は、混合器１４にて周波数変換されたＢＳ又はＣＳ放送の放送信号の中から、特定周波数（中心周波数４５０ＭＨｚ）の放送信号を選択的に通過させる。
【００３２】
そして、ＢＰＦ１８を通過した特定周波数（中心周波数４５０ＭＨｚ）の放送信号は、混合回路２０にて、分波回路１２から出力される地上デジタル放送の受信信号（周波数：４７０〜７１０ＭＨｚ）と混合されて、ＵＨＦチューナ２２に入力される。
【００３３】
また、ＵＨＦチューナ２２は、制御部４０から特定周波数（中心周波数４５０ＭＨｚ）の放送信号（つまり、ＢＳ／ＣＳ放送信号）の選局指令が入力されると、その放送信号を選局して、検波回路２４に出力する。
【００３４】
このため、検波回路２４では、地上デジタル放送だけでなく、ＢＳ／ＣＳ放送の受信信号についても、チャンネル毎に信号レベルを検出できることになる。
次に、制御部４０は、測定指令として、入力部３８から放送種別・放送チャンネルが入力されると、その指定された特定放送種別（地上デジタル、ＢＳ／ＣＳ）・特定放送チャンネルのテレビ放送信号の信号レベル及び信号品質を測定し、入力部３８から放送種別（地上デジタル、ＢＳ／ＣＳ）だけが指定されると、その指定された特定放送種別の全テレビ放送信号の信号レベル及び信号品質を一括して測定する。
【００３５】
また、制御部４０は、入力部３８から全放送種別・全放送信号の一括測定が指令されると、図３〜図９に示す手順で、全放送一括測定処理を実行する。
この全放送一括測定処理は、本発明に関わる主要処理であるので、以下に詳しく説明する。
【００３６】
なお、以下の説明において、地上デジタル放送は、地域によって受信可能な放送チャンネルが異なるので、測定対象となる放送チャンネルは、使用者が測定点で受信可能な放送チャンネル若しくは測定点の地域情報を入力することで、予め設定されているものとする。
【００３７】
また、ＢＳ／ＣＳ放送の測定対象チャンネルは、実際に放送されていてＢＳ／ＣＳチューナ３２及び復調部３４にて選局／復調可能な全放送チャンネルが予め設定されているものとする。
【００３８】
図３に示すように、全放送一括測定処理では、まず、Ｓ１００（Ｓはステップを表す）にて、地上デジタル放送の全測定対象チャンネルの信号レベル及び信号品質を測定する地上波測定処理を実行し、続くＳ３００にて、ＢＳ／ＣＳ放送の測定対象チャンネルの信号レベル及び信号品質を測定するＢＳ／ＣＳ測定処理を実行する。
【００３９】
また、Ｓ１００及びＳ３００にて各放送の測定処理が実行されると、Ｓ５００に移行して、地上波測定処理による測定結果から、地上デジタル放送の受信信号の少なくとも１つに異常があったか否かを判断し、異常があった場合に、異常状態を解析する地上波解析処理を実行する。
【００４０】
また、Ｓ５００での地上波解析処理が終了すると、Ｓ７００に移行して、ＢＳ／ＣＳ測定処理による測定結果から、ＢＳ／ＣＳ放送の受信信号の少なくとも１つに異常があったか否かを判断して、異常があった場合に、異常状態を解析するＢＳ／ＣＳ解析処理を実行する。
【００４１】
そして、Ｓ７００によるＢＳ／ＣＳ解析処理が終了すると、全放送一括測定処理を終了する。
次に、Ｓ１００にて実行される地上波測定処理を図４に沿って説明する。
【００４２】
図に示すように、地上波測定処理では、まずＳ１１０及びＳ１２０にて、以降の処理で更新される取得チャンネル数（以下、チャンネルを単にｃｈとも記載する）、及び、フラグやカウンタ等の変数、をそれぞれクリアする。
【００４３】
そして、続くＳ１３０では、予め設定された全測定対象チャンネルの中の１つを今回の測定ｃｈとして設定し、Ｓ１４０にて、レベル検出回路１０及びＵＨＦチューナ３０に測定ｃｈの選局指令を出力し、レベル検出回路１０及び復調部３４から、測定ｃｈの放送信号の信号レベル及び信号品質（ＭＥＲ、ＢＥＲ、遅延プロファイル）を取得する。
【００４４】
なお、Ｓ１４０にて取得した信号レベル及び信号品質は、制御部４０に内蔵されたメモリに記憶される。
次に、Ｓ１５０では、Ｓ１４０にて取得した測定ｃｈの信号レベルが、信号有無判定用として予め設定された判定レベル（例えば、１８ｄＢμ）以上であるか否かを判断する。そして、Ｓ１４０で取得した信号レベルが判定レベル以上であれば、Ｓ１６０に移行し、そうでなければ、Ｓ１５５にて、現在の測定ｃｈに対するＮＧフラグ１をセットした後、Ｓ２００に移行する。
【００４５】
また、Ｓ１６０では復調部３４での復調結果から、受信信号に測定ｃｈの地上デジタル信号が含まれていたか否かを判断する。そして、測定ｃｈの地上デジタル信号があると判断すると、Ｓ１７０に移行し、測定ｃｈの地上デジタル信号がないと判断すると、Ｓ１６５にて、現在の測定ｃｈに対するＮＧフラグ２をセットした後、Ｓ２００に移行する。
【００４６】
また、Ｓ１７０では、Ｓ１４０にて取得した測定ｃｈの信号レベルが、レベル判定用として予め設定された閾値レベル（例えば、３４ｄＢμ）以上であるか否かを判断する。そして、Ｓ１４０で取得した信号レベルが閾値レベル以上であれば、Ｓ１８０に移行し、そうでなければ、Ｓ１７５にて、現在の測定ｃｈに対するＮＧフラグ３をセットした後、Ｓ１８０に移行する。
【００４７】
また、Ｓ１８０では、Ｓ１４０にて取得したＭＥＲが予め設定された異常判定値（例えば、２２ｄＢ）以上であるか否かを判断する。そして、ＭＥＲが異常判定値以上であれば、Ｓ１９０に移行し、そうでなければ、Ｓ１８５にて、現在の測定ｃｈに対するＮＧフラグ４をセットした後、Ｓ１９０に移行する。
【００４８】
また、Ｓ１９０では、Ｓ１４０にて取得したＢＥＲが予め設定された異常判定値（例えば、１．００Ｅ−５（つまり、０．００００１））以下であるか否かを判断する。そして、ＢＥＲが異常判定値以下であれば、Ｓ２００に移行し、そうでなければ、Ｓ１９５にて、現在の測定ｃｈに対するＮＧフラグ５をセットした後、Ｓ２００に移行する。
【００４９】
次に、Ｓ２００では、上述の処理でセットされたＮＧフラグがあるか否かを判断する。そして、セットされたＮＧフラグがなければ、Ｓ２０５に移行して、現在の測定ｃｈの受信信号は正常である旨を表すＯＫフラグをセットし、続くＳ２１０にて、ＯＫフラグカウンタをカウントアップ（＋１）し、Ｓ２２０に移行する。また、Ｓ２００にてセットされたＮＧフラグがあると判断されると、そのままＳ２２０に移行する。
【００５０】
Ｓ２２０では、現在の取得ｃｈ数が、予め設定された測定対象チャンネルのチャンネル数（測定ｃｈ数）から値１を減じた数と同じであるか否かを判断する。このＳ２２０の処理は、地上デジタル放送の全測定対象チャンネルに対し、上記一連の処理を実行したか否かを判断するための処理である。
【００５１】
そして、Ｓ２２０にて、「測定ｃｈ数−１＝取得ｃｈ数」であると判断されると、全測定チャンネルに対する信号レベル及び信号品質の測定が完了しているので、Ｓ２４０に移行し、そうでなければ、Ｓ２２５に移行する。
【００５２】
Ｓ２２５では、取得ｃｈ数に値１を加えることで、取得ｃｈ数を更新する。また、続くＳ２３０では、予め設定された全測定対象チャンネルの中から、信号レベル及び信号品質の測定を未だ実施していない放送チャンネルを選択し、その放送チャンネルを次回の測定ｃｈとして設定する。そして、その後は、Ｓ１４０に移行する。
【００５３】
次に、Ｓ２４０では、測定ｃｈ毎にＮＧフラグがセットされなかったときにＳ２１０にてカウントアップされるＯＫフラグカウンタの値が、測定ｃｈ数と一致しているか否か、つまり、測定対象チャンネル全てで、受信信号が正常であったか否かを判断する。
【００５４】
そして、Ｓ２４０にて、ＯＫフラグカウンタの値が測定ｃｈ数と一致している（全測定対象チャンネル正常）と判断されると、Ｓ２５０にて、地上デジタル放送の測定結果は正常である旨を表すメッセージ、例えば、ＵＨＦ結果「受信ＯＫ」、を表示部３６のＵＨＦ結果の表示領域に表示し、当該地上波測定処理を終了する。
【００５５】
また、Ｓ２４０にて、ＯＫフラグカウンタの値が測定ｃｈ数と一致していない（測定対象チャンネルの少なくとも１つに異常がある）と判断されると、Ｓ２６０にて、地上デジタル放送の測定結果に異常がある旨を表すメッセージ、例えば、ＵＨＦ結果「受信ＮＧ」、を表示部３６のＵＨＦ結果の表示領域に表示し、当該地上波測定処理を終了する。
【００５６】
次に、Ｓ３００にて実行されるＢＳ／ＣＳ測定処理を図５に沿って説明する。
図に示すように、ＢＳ／ＣＳ測定処理では、まずＳ３１０及びＳ３２０にて、以降の処理で更新されるＢＳ／ＣＳ放送の取得ｃｈ数及び変数をそれぞれクリアする。
【００５７】
そして、続くＳ３３０では、ＢＳ／ＣＳ放送の全測定対象チャンネルの中の１つを今回の測定ｃｈとして設定し、Ｓ３４０にて、レベル検出回路１０及びＢＳ／ＣＳチューナ３２に測定ｃｈの選局指令を出力し、レベル検出回路１０及び復調部３４から、測定ｃｈの放送信号の信号レベル及び信号品質（ＢＥＲ、Ｃ／Ｎ）を取得する。
【００５８】
なお、Ｓ３４０にて取得した信号レベル及び信号品質は、制御部４０に内蔵されたメモリに記憶される。
次に、Ｓ３５０では、Ｓ３４０にて取得した測定ｃｈの信号レベルが、予め設定された判定レベル（例えば、４５ｄＢμ）以上であるか否かを判断する。そして、Ｓ３４０で取得した信号レベルが判定レベル以上であれば、Ｓ３６０に移行し、そうでなければ、Ｓ３５５にて、現在の測定ｃｈに対するＮＧフラグ１をセットした後、Ｓ４００に移行する。
【００５９】
また、Ｓ３６０では復調部３４での復調結果から、ＢＳ／ＣＳ放送の受信信号に測定ｃｈのＢＳ／ＣＳ信号が含まれていたか否かを判断する。そして、測定ｃｈのＢＳ／ＣＳ信号があると判断すると、Ｓ３７０に移行し、測定ｃｈのＢＳ／ＣＳ信号がないと判断すると、Ｓ３６５にて、現在の測定ｃｈに対するＮＧフラグ２をセットした後、Ｓ４００に移行する。
【００６０】
また、Ｓ３７０では、Ｓ３４０にて取得した測定ｃｈの信号レベルが、閾値レベル（例えば、４８ｄＢμ）以上であるか否かを判断する。そして、Ｓ３４０で取得した信号レベルが閾値レベル以上であれば、Ｓ３８０に移行し、そうでなければ、Ｓ３７５にて、現在の測定ｃｈに対するＮＧフラグ３をセットした後、Ｓ３８０に移行する。
【００６１】
また、Ｓ３８０では、Ｓ３４０にて取得したＣ／Ｎが予め設定された異常判定値（例えば、１９ｄＢ）以上であるか否かを判断する。そして、Ｃ／Ｎが異常判定値以上であれば、Ｓ３９０に移行し、そうでなければ、Ｓ３８５にて、現在の測定ｃｈに対するＮＧフラグ４をセットした後、Ｓ３９０に移行する。
【００６２】
また、Ｓ３９０では、Ｓ３４０にて取得したＢＥＲが予め設定された異常判定値（例えば、１．００Ｅ−５）以下であるか否かを判断する。そして、ＢＥＲが異常判定値以下であれば、Ｓ４００に移行し、そうでなければ、Ｓ３９５にて、現在の測定ｃｈに対するＮＧフラグ５をセットした後、Ｓ４００に移行する。
【００６３】
次に、Ｓ４００では、上述の処理でセットされたＮＧフラグがあるか否かを判断する。そして、セットされたＮＧフラグがなければ、Ｓ４０５に移行して、現在の測定ｃｈの受信信号は正常である旨を表すＯＫフラグをセットし、続くＳ４１０にて、ＯＫフラグカウンタをカウントアップ（＋１）し、Ｓ４２０に移行する。また、Ｓ４００にてセットされたＮＧフラグがあると判断されると、そのままＳ４２０に移行する。
【００６４】
Ｓ４２０では、現在の取得ｃｈ数が、予め設定されたＢＳ／ＣＳ放送の測定対象チャンネルのチャンネル数（測定ｃｈ数）から値１を減じた数と同じであるか否かを判断する。
そして、Ｓ４２０にて、「測定ｃｈ数−１＝取得ｃｈ数」であると判断されると、ＢＳ／ＣＳ放送の全測定チャンネルに対する信号レベル及び信号品質の測定が完了しているので、Ｓ４４０に移行し、そうでなければ、Ｓ４２５に移行する。
【００６５】
Ｓ４２５では、取得ｃｈ数に値１を加えることで、取得ｃｈ数を更新する。また、続くＳ４３０では、予め設定されたＢＳ／ＣＳ放送の全測定対象チャンネルの中から、信号レベル及び信号品質の測定を未だ実施していない放送チャンネルを選択し、その放送チャンネルを次回の測定ｃｈとして設定する。そして、その後は、Ｓ３４０に移行する。
【００６６】
次に、Ｓ４４０では、測定ｃｈ毎にＮＧフラグがセットされなかったときにＳ４１０にてカウントアップされるＯＫフラグカウンタの値が、測定ｃｈ数と一致しているか否か、つまり、ＢＳ／ＣＳ放送の測定対象チャンネル全てで、受信信号が正常であったか否かを判断する。
【００６７】
そして、Ｓ４４０にて、ＯＫフラグカウンタの値が測定ｃｈ数と一致している（全測定対象チャンネル正常）と判断されると、Ｓ４５０にて、ＢＳ／ＣＳ放送の測定結果は正常である旨を表すメッセージ、例えば、ＢＳ／ＣＳ結果「受信ＯＫ」、を表示部３６のＢＳ／ＣＳ結果の表示領域に表示し、当該ＢＳ／ＣＳ測定処理を終了する。
【００６８】
また、Ｓ４４０にて、ＯＫフラグカウンタの値が測定ｃｈ数と一致していない（測定対象チャンネルの少なくとも１つに異常がある）と判断されると、Ｓ４６０にて、ＢＳ／ＣＳ放送の測定結果に異常がある旨を表すメッセージ、例えば、ＢＳ／ＣＳ結果「受信ＮＧ」、を表示部３６のＢＳ／ＣＳ結果の表示領域に表示し、当該ＢＳ／ＣＳ測定処理を終了する。
【００６９】
次に、Ｓ５００にて実行される地上波解析処理を図６及び図７に沿って説明する。
図に示すように、地上波解析処理では、まずＳ５１０にて、全測定対象チャンネルでＮＧフラグ１がセットされているか否かを判断する。
【００７０】
そして、全測定対象チャンネルでＮＧフラグ１がセットされていれば、全測定対象チャンネルで受信信号がないので、Ｓ５１５に移行して、その認識したＮＧ状態をメモリに記憶し、当該地上波解析処理を終了する。
【００７１】
なお、Ｓ５１５では、Ｓ５１０で認識したＮＧ状態を表示部３６への表示によって報知できるようにするため、例えば、『レベルが測定できません。ケーブルの接続を確認してください。給電状態を確認してください。アンテナの設置状態を調整してください。』といったメッセージもメモリに記憶する。
【００７２】
そして、制御部４０は、入力部３８からＮＧ内容の表示指令が入力されると、その記憶したメッセージを、表示部３６に表示する。
次に、Ｓ５１０にて、ＮＧフラグ１は全測定対象チャンネルではセットされていないと判断されると、Ｓ５２０に移行して、今度は、全測定対象チャンネルでＮＧフラグ２がセットされているか否かを判断する。
【００７３】
そして、全測定対象チャンネルでＮＧフラグ２がセットされていれば、復調部３４にて地上デジタル放送を受信できていないので、Ｓ５２５に移行して、その認識したＮＧ状態をメモリに記憶し、当該地上波解析処理を終了する。
【００７４】
なお、Ｓ５２５では、Ｓ５２０で認識したＮＧ状態を表示部３６への表示によって報知できるようにするため、例えば、『地上デジタル信号が受信できません。アンテナの設置状態を調整してください。』といったメッセージもメモリに記憶する。
【００７５】
次に、Ｓ５２０にて、ＮＧフラグ２は全測定対象チャンネルではセットされていないと判断されると、Ｓ５３０に移行して、全測定対象チャンネルでＮＧフラグ３がセットされているか否かを判断する。
【００７６】
そして、全測定対象チャンネルでＮＧフラグ３がセットされていれば、ＵＨＦチューナ３０にて地上デジタル放送を受信できているものの、信号レベルが低いので、Ｓ５３５に移行して、その認識したＮＧ状態をメモリに記憶し、当該地上波解析処理を終了する。
【００７７】
なお、Ｓ５３５では、Ｓ５３０で認識したＮＧ状態を表示部３６への表示によって報知できるようにするため、例えば、『地上デジタル信号の受信レベルが全チャンネル低い状態です。アンテナの設置状態を調整してください。ブースターを確認してください。』といったメッセージもメモリに記憶する。
【００７８】
次に、Ｓ５３０にて、ＮＧフラグ３は全測定対象チャンネルではセットされていないと判断されると、Ｓ５４０に移行して、今度は、全測定対象チャンネルでＮＧフラグ４がセットされているか否かを判断する。
【００７９】
そして、全測定対象チャンネルでＮＧフラグ４がセットされていれば、全測定対象チャンネルでＭＥＲが異常であるので、Ｓ５５５に移行し、逆にＮＧフラグ４は全測定対象チャンネルではセットされていない場合には、Ｓ５５０に移行する。
【００８０】
Ｓ５５０では、全測定対象チャンネルでＮＧフラグ５がセットされているか否かを判断し、全測定対象チャンネルでＮＧフラグ５がセットされていれば、全測定対象チャンネルでＢＥＲが異常であるので、Ｓ５５５に移行し、逆にＮＧフラグ５は全測定対象チャンネルではセットされていない場合には、Ｓ５６０に移行する。
【００８１】
Ｓ５５５では、Ｓ５４０又はＳ５５０にて、全測定対象チャンネルでＭＥＲ及びＢＥＲの少なくとも一方が異常であることが認識されたので、そのＮＧ状態をメモリに記憶し、当該地上波解析処理を終了する。
【００８２】
また、Ｓ５５５では、その記憶したＮＧ状態を表示部３６への表示によって報知できるようにするため、例えば、『地上デジタル信号の信号品質が全チャンネル悪い状態です。アンテナの設置状態を調整してください。ブースターを確認してください。』といったメッセージもメモリに記憶する。
【００８３】
次に、Ｓ５６０以降の処理では、全測定対象チャンネルの中から１チャンネル毎に判定結果（ＮＧフラグ）を取り込み、異常である場合に、異常状態を解析して、報知用のメッセージと共にメモリに記憶する。
【００８４】
すなわち、まず、Ｓ５６０では、全測定対象チャンネルの中からチャンネル毎の解析を行っていない解析対象ｃｈのＮＧフラグ１〜５を読み込み、セットされているＮＧフラグがあるか否かを判断する。
【００８５】
そして、セットされているＮＧフラグがあれば、解析対象ｃｈに何らかの異常がある（ＮＧである）ので、Ｓ５６２に移行し、セットされているＮＧフラグがなければ、解析対象ｃｈは正常である（ＯＫである）ので、Ｓ５６１に移行する。
【００８６】
Ｓ５６１では、現在の解析対象ｃｈは、全測定対象チャンネルの中で最後に解析対象ｃｈとなった最終ｃｈであるか否かを判断する。そして、現在の解析対象ｃｈは、最終ｃｈであれば、当該地上波解析処理を終了し、現在の解析対象ｃｈは、最終ｃｈでなければ、再度Ｓ５６０に移行する。
【００８７】
この結果、再度実行されるＳ５６０では、全測定対象チャンネルの中から未だ解析を行っていない解析対象ｃｈを抽出して、そのチャンネルのＮＧフラグ１〜５を読み込むことで、その解析対象ｃｈが正常（ＯＫ）か異常（ＮＧ）かを判定することになる。
【００８８】
次に、Ｓ５６２では、解析対象ｃｈのＮＧフラグ１はセットされているか否か（換言すれば、解析対象ｃｈの信号レベルは、判定レベル以上であるか否か）を判断する。そして、解析対象ｃｈのＮＧフラグ１がセットされていれば、信号レベルが著しく低いので、Ｓ５６４にて、その認識したＮＧ状態をメモリに記憶し、Ｓ５６０に移行する。
【００８９】
なお、Ｓ５６４では、その認識したＮＧ状態を表示部３６への表示によって報知できるようにするため、例えば、『ｃｈｘｘの受信レベルが低く、測定できません。アンテナの設置状態を確認してください。放送波の有無を確認して下さい。』といったメッセージもメモリに記憶する。ここで、「ｃｈｘｘ」は、解析対象ｃｈのチャンネル番号である。
【００９０】
また、Ｓ５６２にて、解析対象ｃｈのＮＧフラグ１はセットされていないと判断されると、Ｓ５６６に移行して、解析対象ｃｈのＮＧフラグ２はセットされているか否か（換言すれば、解析対象ｃｈの地上デジタル信号はあるか否か）を判断する。そして、解析対象ｃｈのＮＧフラグ２がセットされていれば、Ｓ５６８にて、その認識したＮＧ状態をメモリに記憶し、Ｓ５６０に移行する。
【００９１】
なお、Ｓ５６８では、その認識したＮＧ状態を表示部３６への表示によって報知できるようにするため、例えば、『地上デジタル信号が受信できません。アンテナの設置状態を確認してください。放送波の有無を確認して下さい。』といったメッセージもメモリに記憶する。
【００９２】
また次に、Ｓ５６６にて、解析対象ｃｈのＮＧフラグ２はセットされていないと判断されると、Ｓ５７０に移行し、解析対象ｃｈのＮＧフラグ３はセットされているか否か（換言すれば、解析対象ｃｈの信号レベルは、閾値レベル以上であるか否か）を判断する。そして、解析対象ｃｈのＮＧフラグ３がセットされていれば、解析対象ｃｈの信号レベルが低下しているので、Ｓ５７５にて、その認識したＮＧ状態をメモリに記憶し、Ｓ５６０に移行する。
【００９３】
なお、Ｓ５７５では、その認識したＮＧ状態を表示部３６への表示によって報知できるようにするため、例えば、『ｃｈｘｘの受信レベルが低い状態です。アンテナの設置状態を調整してください。』といったメッセージもメモリに記憶する。
【００９４】
一方、Ｓ５７０にて、解析対象ｃｈのＮＧフラグ３はセットされていないと判断されると、Ｓ５８０に移行して、解析対象ｃｈのＮＧフラグ４はセットされているか否か（換言すれば、ＭＥＲは異常であるか否か）を判断する。そして、解析対象ｃｈのＮＧフラグ４がセットされていれば、Ｓ６１０に移行し、そうでなければ、Ｓ５９０に移行する。
【００９５】
次に、Ｓ５９０では、解析対象ｃｈのＮＧフラグ５はセットされているか否か（換言すれば、ＢＥＲは異常であるか否か）を判断する。そして、解析対象ｃｈのＮＧフラグ５がセットされていれば、Ｓ６１０に移行し、そうでなければ、Ｓ６００に移行する。
【００９６】
そして、Ｓ６００では、解析対象ｃｈは正常であるので、その旨(ｃｈｘｘ受信ＯＫ）をメモリに記憶し、再度Ｓ５６０に移行する。
次に、Ｓ６１０では、希望波である解析対象ｃｈに対する妨害波の比率（Ｄ／Ｕ）を求め、妨害波が解析対象ｃｈよりも所定レベル（例えば２０ｄＢ）以上高いか否かを判断する。
【００９７】
なお、Ｓ６１０でのＤ／Ｕの算出は、地上波測定処理にて測定した全測定対象ｃｈの信号レベルの中から最も高い信号レベルを抽出し、これを妨害波の信号レベルとして、解析対象ｃｈの信号レベルとの比率を求めることにより行う。
【００９８】
これは、解析対象ｃｈの信号レベルに対し、数十ｄＢ（２０〜３０ｄＢ）高いレベルの信号が存在すると（隣接ｃｈ以外でも）、ＭＥＲ等の値が悪くなり、解析対象ｃｈを正常に受信できなくなる可能性があるからである。
【００９９】
Ｓ６１０にて、妨害波（ここでは他のｃｈ）の信号レベルが解析対象ｃｈよりも所定レベル（例えば２０ｄＢ）以上高いと判定されると、Ｓ６１５に移行して、その判定したＮＧ状態をメモリに記憶し、再度Ｓ５６０に移行する。
【０１００】
なお、Ｓ６１５では、メモリに記憶したＮＧ状態を表示部３６への表示によって報知できるようにするため、例えば、『ｃｈｘｘレベルに対して、２０ｄＢ以上レベルが高いチャンネルが存在しています。アンテナの設置状態を調整してください。』といったメッセージもメモリに記憶する。
【０１０１】
また、Ｓ６１０にて、妨害波の信号レベルは解析対象ｃｈよりも所定レベル（例えば２０ｄＢ）以上高くないと判定された場合には、Ｓ６２０に移行し、地上波測定処理で測定された解析対象ｃｈの遅延プロファイルに基づき、解析対象ｃｈにガードインターバル（ＧＩ）を越える遅延波が存在するか否かを判断する。
【０１０２】
そして、解析対象ｃｈにＧＩを越える遅延波が存在すると判断されると、Ｓ６２５に移行して、その判断したＮＧ状態をメモリに記憶し、再度Ｓ５６０に移行する。
なお、Ｓ６２５では、メモリに記憶したＮＧ状態を表示部３６への表示によって報知できるようにするため、例えば、『ＧＩ超えの遅延波が存在しています。アンテナの設置状態を調整してください。』といったメッセージもメモリに記憶する。
【０１０３】
次に、Ｓ６２０にて、解析対象ｃｈにはＧＩを越える遅延波は存在しないと判断されると、Ｓ６３０に移行し、解析対象ｃｈのＮＧフラグ４はリセット状態で、ＮＧフラグ５がセットされているか否か（つまり、ＭＥＲは正常で、ＢＥＲが異常であるか否か）を判断する。
【０１０４】
そして、Ｓ６３０にて、ＮＧフラグ４はリセット状態で、ＮＧフラグ５がセットされていると判断されると、Ｓ６３５に移行し、そうでなければ、Ｓ６４０に移行する。
Ｓ６３５では、信号品質の内、ＢＥＲだけが異常であるので、そのＮＧ状態をメモリに記憶して、Ｓ５６０に移行し、Ｓ６４０では、ＢＥＲ及びＭＥＲが共に異常であるので、そのＮＧ状態をメモリに記憶して、Ｓ５６０に移行する。
【０１０５】
なお、Ｓ６３５では、メモリに記憶したＮＧ状態を表示部３６への表示によって報知できるようにするため、例えば、『ｃｈｘｘのＢＥＲが劣化しており、ブースター発振が発生しています。ブースターを確認してください。』といったメッセージもメモリに記憶する。また、同様に、Ｓ６４０では、例えば、『アンテナの設置状態を調整して下さい。』といったメッセージもメモリに記憶する。
【０１０６】
次に、Ｓ７００にて実行されるＢＳ／ＣＳ解析処理を図８及び図９に沿って説明する。
図に示すように、ＢＳ／ＣＳ解析処理では、まずＳ７１０にて、ＢＳ／ＣＳ放送の全測定対象チャンネルでＮＧフラグ１がセットされているか否かを判断する。
【０１０７】
そして、全測定対象チャンネルでＮＧフラグ１がセットされていれば、ＢＳ／ＣＳ放送の全測定対象チャンネルで受信信号がないので、Ｓ７１２に移行して、地上デジタル放送の受信信号はあるか否かを判断する。
【０１０８】
Ｓ７１２にて、地上デジタル放送の受信信号はあると判断した場合には、受信信号の伝送経路には異常はないので、Ｓ７１４に移行して、そのＮＧ状態をメモリに記憶し、当該ＢＳ／ＣＳ受信解析処理を終了する。
【０１０９】
なお、Ｓ７１４では、メモリに記憶したＮＧ状態を表示部３６への表示によって報知できるようにするため、例えば、『レベルが測定できません。ケーブルの接続を確認してください。コンバーターへの給電状態を確認してください。測定系で使用している機器の周波数帯を確認してください。』といったメッセージもメモリに記憶する。
【０１１０】
また、Ｓ７１２にて、地上デジタル放送の受信信号がないと判断した場合には、受信信号の伝送経路に異常があるので、Ｓ７１６に移行して、そのＮＧ状態をメモリに記憶し、当該ＢＳ／ＣＳ受信解析処理を終了する。
【０１１１】
なお、Ｓ７１６では、メモリに記憶したＮＧ状態を表示部３６への表示によって報知できるようにするため、例えば、『レベルが測定できません。ケーブルの接続を確認してください。コンバーター、ブースターへの給電状態を確認してください。』といったメッセージもメモリに記憶する。
【０１１２】
次に、Ｓ７１０にて、ＢＳ／ＣＳ放送のＮＧフラグ１は全測定対象チャンネルではセットされていないと判断されると、Ｓ７２０に移行して、今度は、ＢＳ／ＣＳ放送の全測定対象チャンネルでＮＧフラグ２がセットされているか否かを判断する。
【０１１３】
そして、ＢＳ／ＣＳ放送の全測定対象チャンネルでＮＧフラグ２がセットされていれば、ＢＳ／ＣＳチューナ３２にてＢＳ／ＣＳ放送を受信できていないので、Ｓ７２５に移行して、その認識したＮＧ状態をメモリに記憶し、当該ＢＳ／ＣＳ解析処理を終了する。
【０１１４】
なお、Ｓ７２５では、メモリに記憶したＮＧ状態を表示部３６への表示によって報知できるようにするため、例えば、『ＢＳ／ＣＳ信号が受信できません。アンテナの設置状態を調整してください。』といったメッセージもメモリに記憶する。
【０１１５】
次に、Ｓ７２０にて、ＮＧフラグ２は全測定対象チャンネルではセットされていないと判断されると、Ｓ７３０に移行して、ＢＳ／ＣＳ放送の全測定対象チャンネルでＮＧフラグ３がセットされているか否かを判断する。
【０１１６】
そして、ＢＳ／ＣＳ放送の全測定対象チャンネルでＮＧフラグ３がセットされていれば、ＢＳ／ＣＳ放送の信号レベルが閾値レベル未満であるので、Ｓ７３５に移行して、その認識したＮＧ状態をメモリに記憶し、当該ＢＳ／ＣＳ解析処理を終了する。
【０１１７】
なお、Ｓ７３５では、メモリに記憶したＮＧ状態を表示部３６への表示によって報知できるようにするため、例えば、『ＢＳ／ＣＳ放送信号の受信レベルが全チャンネル低い状態です。アンテナの設置状態を調整してください。』といったメッセージもメモリに記憶する。
【０１１８】
次に、Ｓ７３０にて、ＮＧフラグ３は全測定対象チャンネルではセットされていないと判断されると、Ｓ５４０に移行して、今度は、ＢＳ／ＣＳ放送の全測定対象チャンネルでＮＧフラグ４がセットされているか否かを判断する。
【０１１９】
そして、ＢＳ／ＣＳ放送の全測定対象チャンネルでＮＧフラグ４がセットされていれば、全測定対象チャンネルでＣ／Ｎが異常であるので、Ｓ７５５に移行し、逆にＮＧフラグ４は全測定対象チャンネルではセットされていない場合には、Ｓ７５０に移行する。
【０１２０】
Ｓ７５０では、ＢＳ／ＣＳ放送の全測定対象チャンネルでＮＧフラグ５がセットされているか否かを判断し、全測定対象チャンネルでＮＧフラグ５がセットされていれば、全測定対象チャンネルでＢＥＲが異常であるので、Ｓ７５５に移行し、逆にＮＧフラグ５は全測定対象チャンネルではセットされていない場合には、Ｓ７６０に移行する。
【０１２１】
Ｓ７５５では、Ｓ７４０又はＳ７５０にて、ＢＳ／ＣＳ放送の全測定対象チャンネルでＣ／Ｎ及びＢＥＲの少なくとも一方が異常であることが認識されたので、そのＮＧ状態をメモリに記憶し、当該ＢＳ／ＣＳ解析処理を終了する。
【０１２２】
また、Ｓ７５５では、メモリに記憶したＮＧ状態を表示部３６への表示によって報知できるようにするため、例えば、『ＢＳ／ＣＳ信号の信号品質が全チャンネル悪い状態です。アンテナの設置状態を調整してください。』といったメッセージもメモリに記憶する。
【０１２３】
次に、Ｓ７６０以降の処理では、ＢＳ／ＣＳ放送の全測定対象チャンネルの中から１チャンネル毎に判定結果（ＮＧフラグ）を取り込み、異常である場合に、異常状態を解析して、報知用のメッセージと共にメモリに記憶する。
【０１２４】
すなわち、まず、Ｓ７６０では、ＢＳ／ＣＳ放送の全測定対象チャンネルの中からチャンネル毎の解析を行っていない解析対象ｃｈのＮＧフラグ１〜５を読み込み、セットされているＮＧフラグがあるか否かを判断する。
【０１２５】
そして、セットされているＮＧフラグがあれば、解析対象ｃｈに何らかの異常がある（ＮＧである）ので、Ｓ７６２に移行し、セットされているＮＧフラグがなければ、解析対象ｃｈは正常である（ＯＫである）ので、Ｓ７６１に移行する。
【０１２６】
Ｓ７６１では、現在の解析対象ｃｈは、全測定対象チャンネルの中で最後に解析対象ｃｈとなった最終ｃｈであるか否かを判断する。そして、現在の解析対象ｃｈは、最終ｃｈであれば、当該ＢＳ／ＣＳ解析処理を終了し、現在の解析対象ｃｈは、最終ｃｈでなければ、再度Ｓ７６０に移行する。
【０１２７】
この結果、再度実行されるＳ７６０では、ＢＳ／ＣＳ放送の全測定対象チャンネルの中から未だ解析を行っていない解析対象ｃｈを抽出して、そのチャンネルのＮＧフラグ１〜５を読み込むことで、その解析対象ｃｈが正常（ＯＫ）か異常（ＮＧ）かを判定することになる。
【０１２８】
次に、Ｓ７６２では、解析対象ｃｈのＮＧフラグ１はセットされているか否か（換言すれば、解析対象ｃｈの信号レベルは、判定レベル以上であるか否か）を判断する。そして、解析対象ｃｈのＮＧフラグ１がセットされていれば、信号レベルが著しく低いので、Ｓ７６４にて、その認識したＮＧ状態をメモリに記憶し、Ｓ７６０に移行する。
【０１２９】
なお、Ｓ７６４では、その認識したＮＧ状態を表示部３６への表示によって報知できるようにするため、例えば、『ｃｈｘｘの受信レベルが低く、測定できません。アンテナの設置状態を確認してください。ケーブルを確認して下さい。コンバーターを確認して下さい。』といったメッセージもメモリに記憶する。
【０１３０】
また、Ｓ７６２にて、解析対象ｃｈのＮＧフラグ１はセットされていないと判断されると、Ｓ７６６に移行して、解析対象ｃｈのＮＧフラグ２はセットされているか否か（換言すれば、解析対象ｃｈのＢＳ／ＣＳ信号はあるか否か）を判断する。そして、解析対象ｃｈのＮＧフラグ２がセットされていれば、Ｓ７６８にて、その認識したＮＧ状態をメモリに記憶し、Ｓ７６０に移行する。
【０１３１】
なお、Ｓ７６８では、その認識したＮＧ状態を表示部３６への表示によって報知できるようにするため、例えば、『ＢＳ／ＣＳ信号が受信できません。アンテナの設置状態を確認してください。ケーブルを確認して下さい。コンバーターを確認して下さい。』といったメッセージもメモリに記憶する。
【０１３２】
また次に、Ｓ７６６にて、解析対象ｃｈのＮＧフラグ２はセットされていないと判断されると、Ｓ７７０に移行し、解析対象ｃｈのＮＧフラグ３はセットされているか否か（換言すれば、解析対象ｃｈの信号レベルは、閾値レベル以上であるか否か）を判断する。そして、解析対象ｃｈのＮＧフラグ３がセットされていれば、解析対象ｃｈの信号レベルが低下しているので、Ｓ７７５にて、その認識したＮＧ状態をメモリに記憶し、Ｓ７６０に移行する。
【０１３３】
なお、Ｓ７７５では、メモリに記憶したＮＧ状態を表示部３６への表示によって報知できるようにするため、例えば、『ｃｈｘｘの受信レベルが低い状態です。アンテナの設置状態を調整してください。』といったメッセージもメモリに記憶する。
【０１３４】
一方、Ｓ７７０にて、解析対象ｃｈのＮＧフラグ３はセットされていないと判断されると、Ｓ７８０に移行して、解析対象ｃｈのＮＧフラグ４はセットされているか否か（換言すれば、Ｃ／Ｎは異常であるか否か）を判断する。そして、解析対象ｃｈのＮＧフラグ４がセットされていれば、Ｓ８１０に移行し、そうでなければ、Ｓ７９０に移行する。
【０１３５】
次に、Ｓ７９０では、解析対象ｃｈのＮＧフラグ５はセットされているか否か（換言すれば、ＢＥＲは異常であるか否か）を判断する。そして、解析対象ｃｈのＮＧフラグ５がセットされていれば、Ｓ８１０に移行し、そうでなければ、Ｓ８００に移行する。
【０１３６】
そして、Ｓ８００では、解析対象ｃｈは正常であるので、その旨(ｃｈｘｘ受信ＯＫ）をメモリに記憶し、再度Ｓ７６０に移行する。
次に、Ｓ８１０では、解析対象ｃｈだけでＮＧフラグ５がセットされているのか否か（換言すれば、解析対象ｃｈでＮＧフラグ５がセットされていないか、或いは、解析対象ｃｈだけでなく他のｃｈでもＮＧフラグ５がセットされているのか）を判断する。
【０１３７】
そして、Ｓ８１０にて、解析対象ｃｈだけでＮＧフラグ５がセットされていると判断すると、Ｓ８１５に移行して、その判断したＮＧ状態をメモリに記憶し、再度Ｓ７６０に移行する。
【０１３８】
なお、Ｓ８１５では、メモリに記憶したＮＧ状態を表示部３６への表示によって報知できるようにするため、例えば、『発振などにより測定ｃｈのみ低いＣ／Ｎとなっています。ケーブルを確認して下さい。コンバーターを確認して下さい。』といったメッセージもメモリに記憶する。
【０１３９】
また、Ｓ８１０にて、ＮＧフラグ５は解析対象ｃｈだけでセットされていないと判断された場合には、Ｓ８２０に移行し、解析対象ｃｈよりも周波数が高い上位のｃｈでＮＧフラグ４がセットされているか否かを判断する。
【０１４０】
そして、Ｓ８２０にて上位ｃｈでＮＧフラグ４がセットされていると判断されると、Ｓ８２５に移行し、そうでなければ、Ｓ８３０に移行する。
Ｓ８２５では、上位ｃｈでＣ／Ｎが異常であるので、そのＮＧ状態をメモリに記憶して、Ｓ７６０に移行し、Ｓ８３０では、上位ｃｈでＣ／Ｎに異常はないものの、解析対象ｃｈの信号品質が悪くなっているので、そのＮＧ状態をメモリに記憶して、Ｓ７６０に移行する。
【０１４１】
なお、Ｓ８２５では、メモリに記憶したＮＧ状態を表示部３６への表示によって報知できるようにするため、例えば、『周波数が高いｃｈにおいて、低いＣ／Ｎとなっています。アンテナの設置状態を確認して下さい。ケーブルを確認して下さい。』といったメッセージもメモリに記憶する。また、同様に、Ｓ８３０では、例えば、『アンテナの設置状態を調整して下さい。ケーブルを確認して下さい。』といったメッセージもメモリに記憶する。
【０１４２】
以上説明したように、本実施形態の信号レベル測定装置においては、入力部３８から全放送種別・全放送信号の一括測定が指令されると、制御部４０が、地上デジタル放送、ＢＳ放送及びＣＳ放送の受信信号の信号レベル及び信号品質を一括して測定し、その測定結果を表示する。このため、使用者は、極めて簡単に放送種別及びチャンネルの異なる放送信号の受信状態を確認できる。
【０１４３】
また、測定結果の表示は、単に測定した信号レベルや信号品質を表示するのではなく、これら各パラメータが正常であるか否かを判断して、異常があれば「ＮＧ」、正常であれば「ＯＫ」を表示するので、使用者は、各パラメータを確認して正常／異常を判断する必要がなく、極めて簡単に全測定対象チャンネルの受信状態を把握できる。
【０１４４】
また、測定した信号レベルや信号品質に何らかの異常がある場合には、地上波解析処理及びＢＳ／ＣＳ解析処理にて、測定対象チャンネル毎に、異常状態が解析されて、その異常内容と共に異常を解消するためのメッセージがメモリに記憶される。
【０１４５】
そして、使用者は、入力部３８から指令を入力することで、メモリに記憶された異常内容やメッセージを表示部３６に表示させて、確認することができる。よって、本実施形態の信号レベル測定装置は、使用者にとって、極めて使い勝手がよい測定装置となる。
【０１４６】
なお、本実施形態においては、ＵＨＦチューナ３０及びＢＳ／ＣＳチューナ３２と、レベル検出回路１０内の混合器１４、ＶＣＯ１６、ＢＰＦ１８、及び、ＵＨＦチューナ２２とが、本発明の選局手段に相当する。
【０１４７】
また、レベル検出回路１０内の検波回路２４が本発明の信号レベル測定手段に相当し、復調部３４が本発明の信号品質測定手段に相当し、制御部４０が、本発明の判定手段に相当し、表示部３６が本発明の報知手段に相当する。
【０１４８】
以上、本発明の実施形態について説明したが、本発明は上記実施形態に限定されるものではなく、本発明の要旨を逸脱しない範囲内にて、種々の態様をとることができる。
例えば、上記実施形態では、地上波測定処理又はＢＳ／ＣＳ測定処理で測定対象チャンネルの信号レベル若しくは信号品質に異常があると判断されると、地上波解析処理若しくはＢＳ／ＣＳ解析処理にて、その異常状態を解析して、解析結果として報知用のメッセージを記憶するようにしている。
【０１４９】
しかし、地上波解析処理若しくはＢＳ／ＣＳ解析処理は必ずしも実行する必要はなく、地上波測定処理及びＢＳ／ＣＳ測定処理にて、測定結果の正常／異常を報知するだけでも、従来装置に比べ、使い勝手のよい信号レベル測定装置を提供することができる。
【０１５０】
また、上記実施形態では、報知手段として、表示部３６を備えるものとして説明したが、報知手段は、音声案内にて測定結果や異常状態の解析結果を報知するようにしてもよく、或いは、音声と表示との両方で報知するようにしてもよい。
【符号の説明】
【０１５１】
２…入力端子、４…切替スイッチ、６…分波回路、１０…レベル検出回路、１２…分波回路、１４…混合器、１６…ＶＣＯ、１８…ＢＰＦ、２０…混合回路、２２…ＵＨＦチューナ、２４…検波回路、３０…ＵＨＦチューナ、３２…ＢＳ／ＣＳチューナ、３４…復調部、３６…表示部、３８…入力部、４０…制御部。
【図１】
0006563669.tif 000002
【図２】
0006563669.tif 000003
【図３】
0006563669.tif 000004
【図４】
0006563669.tif 000005
【図５】
0006563669.tif 000006
【図６】
0006563669.tif 000007
【図７】
0006563669.tif 000008
【図８】
0006563669.tif 000009
【図９】
0006563669.tif 000010